(57)【要約】【課題】磁気ディスク装置において、良好な組立て性を確保しつつ、ディスクフラッタを低減すること。【解決手段】磁気ディスク装置２０は、一枚または複数枚で構成された情報媒体である記録ディスク１と、記録ディスク１を回転させるモーター７と、記録ディスク１に情報を記録または記録ディスクから情報を再生するヘッドを支持するキャリッジと、記録ディスク１を収納した筐体５と、記録ディスク１の外周を取り巻くように設けたシュラウド２とを備える。そして、記録ディスク１の上面または下面と外周面とで形成された角部を半径方向に延長した位置のシュラウド面２に、記録ディスク１に沿って延びる溝８が記録ディスク１の外周面に上下に非対称に形成されている。【選択図】図２Ａ
2006079746.tif 000002
【特許請求の範囲】
【請求項１】
一枚または複数枚で構成された情報媒体である記録ディスクと、
前記記録ディスクを回転させるモーターと、
前記記録ディスクに情報を記録または前記記録ディスクから情報を再生するヘッドを支持するキャリッジと、
前記記録ディスクを収納した筐体と、
前記記録ディスクの外周を取り巻くように設けたシュラウドと、を備えた磁気ディスク装置において、
前記記録ディスクの上面または下面と外周面とで形成された角部を半径方向に延長した位置のシュラウド面に、前記記録ディスクに沿って延びる溝を前記記録ディスクの外周面に上下に非対称に形成した
ことを特徴とする磁気ディスク装置。
【請求項２】
請求項１に記載の磁気ディスク装置において、前記記録ディスクは上下に複数枚支持され、前記溝は前記筐体の底壁または上壁に対面した前記記録ディスクにおける反筐体側の面と外周面とで形成された角部を半径方向に延長した位置のシュラウド面に備えたことを特徴とする磁気ディスク装置。
【請求項３】
請求項１に記載の磁気ディスク装置において、前記記録ディスクは上下に複数枚支持され、前記溝は、前記筐体の底壁に対面した前記記録ディスクにおける反筐体側の面と外周面とで形成された角部を半径方向に延長した位置のシュラウド面と、前記筐体の上壁に対面した前記記録ディスクにおける反筐体側の面と外周面とで形成された角部を半径方向に延長した位置のシュラウド面と、にそれぞれ備えたことを特徴とする磁気ディスク装置。
【請求項４】
請求項２または３に記載の磁気ディスク装置において、前記溝は、その上下端が前記記録ディスクの外周面及び前記記録ディスク間に対応するように位置されていることを特徴とする磁気ディスク装置。
【請求項５】
請求項１から４の何れかに記載の磁気ディスク装置において、前記記録ディスクは前記筐体の底壁までの間隔と上壁までの間隔とが異なるように配置され、前記溝は、前記狭い間隔で対面する記録ディスクにおける反筐体側の面と外周面とで形成された角部を半径方向に延長した位置のシュラウド面に備えたことを特徴とする磁気ディスク装置。
【請求項６】
請求項５に記載の磁気ディスク装置において、前記記録ディスクは等間隔に設置された多数枚で構成され、前記溝は前記筐体の底壁または上壁に対面した前記記録ディスクにおける反筐体側の面と外周面とで形成された角部を半径方向に延長した位置のシュラウド面に１つのみ備えたことを特徴とする磁気ディスク装置。
【請求項７】
請求項１ないし６の何れかに記載の磁気ディスク装置において、前記シュラウドは全周に対して一部分が欠損しており、前記溝は前記シュラウドの欠損位置における端部が周方向に閉塞されていることを特徴とする磁気ディスク装置。
【請求項８】
上下に複数枚で構成された情報媒体である記録ディスクと、
前記記録ディスクを回転させるモーターと、
前記記録ディスクに情報を記録または前記記録ディスクから情報を再生するヘッドを支持するキャリッジと、
前記記録ディスクを収納した筐体と、
全周に対して一部分が欠損して前記記録ディスクの外周を取り巻くように設けたシュラウドと、を備えた磁気ディスク装置において、
前記記録ディスクの上面または下面と外周面とで形成された角部を半径方向に延長した位置のシュラウド面に溝を備え、
前記記録ディスクは前記筐体の底壁までの間隔と上壁までの間隔とが異なるように配置され、
前記溝は、前記狭い間隔を構成する記録ディスクにおける反筐体側の面と外周面とで形成された角部を半径方向に延長した位置のシュラウド面に１つのみ設けられると共に、前記記録ディスクの外周面の上下一部対面すると共に前記記録ディスク間の空間に対面して延びるように設けられ、さらには前記シュラウドの欠損位置における端部が周方向に閉塞されている
ことを特徴とする磁気ディスク装置。
【発明の詳細な説明】
【技術分野】
【０００１】
本発明は、磁気ディスク装置に係り、特に記録ディスクの外周を取り巻くように設けたシュラウドを備えた磁気ディスク装置に好適なものである。
【背景技術】
【０００２】
磁気ディスク装置では、記録ディスクが回転することにより筐体内に気流が生ずる。この気流は記録ディスク表面付近では記録ディスクと同じ方向に回転しつつ、遠心力により外側に向かう流れとなる。この流れの一部分が記録ディスクの外周面とシュラウド面との間隙を通過して他側に至った後に戻り、これを繰返して間隙部における蛇行流となる。この蛇行流により発生するディスク上下面における圧力差よって、記録ディスクが励振されてディスクフラッタが生ずる一因となっている。
【０００３】
この問題に対して、例えば特開２０００−３２２８７０号公報（特許文献１）では、シュラウドの略全周に亘って突起を設け、この凸部が記録ディスク間に入り込む構造としている。これにより、間隙部を通る蛇行流を阻止してディスクフラッタを抑制するようにしている。
【０００４】
また、特開２０００−３４８４６５号公報（特許文献２）では、記録ディスクの外周面とこれに対向するシュラウド面との距離を０．５ｍｍ以下とし、シュラウドの外周面に向き合う領域に隣接して略全周に亘って整流溝を設けることにより、ディスクフラッタを抑制するようにしている。
【０００５】
【特許文献１】特開２０００−３２２８７０号公報
【特許文献２】特開２０００−３４８４６５号公報
【発明の開示】
【発明が解決しようとする課題】
【０００６】
近年、データアクセス時間を短縮するために、記録ディスクの回転数を上昇させており、その結果として筐体内の流速が上昇し、間隙部を蛇行する流れも増大してディスクフラッタが増大する傾向にある。また一方で、記録の高密度化の要求から、位置決め精度に対する高精度化が要求されており、このため、ディスクフラッタを低下させることが望まれている。これらの理由から、間隙部を蛇行する流れを減少させ、ディスクフラッタを低減させることが望まれる。
【０００７】
そこで、上述した特許文献１ではシュラウドの突起により間隙部の蛇行流れを抑制しており、また、上述した特許文献２では間隙部を０.５ｍｍ以下に設定すると共に整流溝を設けることにより蛇行流を抑制している。
【０００８】
しかし、これらの手法は蛇行流の抑制に対しては効果的であるが、前者は、シュラウドの凸部が記録ディスクの隙間に入る構造のために、組立て工程が複雑化する問題があり、後者は、間隙部を一定の幅以下に抑える必要があるため、高い組立て精度が求められ、組立てが面倒であるという問題がある。
【０００９】
本発明の目的は、良好な組立て性を確保しつつ、ディスクフラッタを低減できる磁気ディスク装置を提供することにある。
【課題を解決するための手段】
【００１０】
前記目的を達成するために、本発明は、一枚または複数枚で構成された情報媒体である記録ディスクと、前記記録ディスクを回転させるモーターと、前記記録ディスクに情報を記録または前記記録ディスクから情報を再生するヘッドを支持するキャリッジと、前記記録ディスクを収納した筐体と、前記記録ディスクの外周を取り巻くように設けたシュラウドと、を備えた磁気ディスク装置において、前記記録ディスクの上面または下面と外周面とで形成された角部を半径方向に延長した位置のシュラウド面に、前記記録ディスクに沿って延びる溝を前記記録ディスクの外周面に上下に非対称に形成した構成にしたことにある。
【００１１】
係る本発明のより好ましい具体的な構成例は次の通りである。
（１）前記記録ディスクは上下に複数枚支持され、前記溝は前記筐体の底壁または上壁に対面した前記記録ディスクにおける反筐体側の面と外周面とで形成された角部を半径方向に延長した位置のシュラウド面に備えたこと。
（２）前記記録ディスクは上下に複数枚支持され、前記溝は、前記筐体の底壁に対面した前記記録ディスクにおける反筐体側の面と外周面とで形成された角部を半径方向に延長した位置のシュラウド面と、前記筐体の上壁に対面した前記記録ディスクにおける反筐体側の面と外周面とで形成された角部を半径方向に延長した位置のシュラウド面と、にそれぞれ備えたこと。
（３）前記溝はその上下端が前記記録ディスクの外周面及び前記記録ディスク間に対応するように位置されていること。
（４）前記記録ディスクは前記筐体の底壁までの間隔と上壁までの間隔とが異なるように配置され、前記溝は、前記狭い間隔で対面する記録ディスクにおける反筐体側の面と外周面とで形成された角部を半径方向に延長した位置のシュラウド面に備えたこと。
（５）前記記録ディスクは等間隔に設置された多数枚で構成され、前記溝は前記筐体の底壁または上壁に対面した前記記録ディスクにおける反筐体側の面と外周面とで形成された角部を半径方向に延長した位置のシュラウド面に１つのみ備えたこと。
（６）前記シュラウドは全周に対して一部分が欠損しており、前記溝は前記シュラウドの欠損位置における端部が周方向に閉塞されていること。
【００１２】
また、本発明は、上下に複数枚で構成された情報媒体である記録ディスクと、前記記録ディスクを回転させるモーターと、前記記録ディスクに情報を記録または前記記録ディスクから情報を再生するヘッドを支持するキャリッジと、前記記録ディスクを収納した筐体と、全周に対して一部分が欠損して前記記録ディスクの外周を取り巻くように設けたシュラウドと、を備えた磁気ディスク装置において、前記記録ディスクの上面または下面と外周面とで形成された角部を半径方向に延長した位置のシュラウド面に溝を備え、前記記録ディスクは前記筐体の底壁までの間隔と上壁までの間隔とが異なるように配置され、前記溝は、前記狭い間隔を構成する記録ディスクにおける反筐体側の面と外周面とで形成された角部を半径方向に延長した位置のシュラウド面に１つのみ設けられると共に、前記記録ディスクの外周面の上下一部対面すると共に前記記録ディスク間の空間に対面して延びるように設けられ、さらには前記シュラウドの欠損位置における端部が周方向に閉塞されている構成としたことにある。
【発明の効果】
【００１３】
本発明の磁気ディスク装置によれば、良好な組立て性を確保しつつ、ディスクフラッタを低減できる。
【発明を実施するための最良の形態】
【００１４】
以下、本発明の複数の実施例について図を用いて説明する。各実施例の図における同一符号は同一物または相当物を示す。なお、それぞれの実施例を必要に応じて適宜に組み合わせることにより、より効果的なものとすることができる。
【００１５】
最初に、本発明の第１実施例の磁気ディスク装置について図１から図８を参照しながら説明する。
【００１６】
まず、本実施例の磁気ディスク装置２０の全体構成に関して、図１から図３を参照しながら説明する。図１は本実施例の磁気ディスク装置２０の斜視図、図２Ａは同磁気ディスク装置２０の縦断面図、図２Ｂは図２Ａの要部拡大図、図２ｃはシュラウドの欠損部近傍における図２相当の断面図、図３は図１のベース５ａの一部を示す斜視図である。なお、図１は筐体５を構成する蓋５ｂを取外した状態を示している。また、図２におけるハブ６、モーター７及び記録ディスク１は断面状態ではなく横から見た状態で示しており、図７、図９、図１１及び図１３〜図１７においても同様である。
【００１７】
磁気ディスク装置２０は、情報媒体である記録ディスク１と、記録ディスク１を回転させるモーター７と、記録ディスク１に情報を記録または記録ディスク１から情報を再生するヘッド（図示せず）を支持するキャリッジ３と、記録ディスク１などを収納した筐体５と、記録ディスク１の外周を取り巻くように設けたシュラウド２とを備えて構成されている。
【００１８】
筐体５は、ベース５ａと蓋５ｂとから構成され、内部が密閉空間とされている。この密閉空間に、記録ディスク１、キャリッジアーム３、ヘッドサスペンション４、ハブ６及びモーター７などが収納されている。
【００１９】
記録ディスク１は磁性体により情報を記録する円盤状の部材で構成されている。上下に間隔をあけて複数枚（本実施例では多数枚である３枚）の記録ディスク１がハブ６に支持されている。支持された記録ディスク１は等間隔にハブ６に装着されている。本発明において、複数枚は２枚以上、多数枚は３枚以上を意味する。複数枚の記録ディスク１がハブ６に装着された状態でモーター７と共に筐体５内（具体的には、シュラウド２内）に収納できるようになっており、良好な組立て性が得られる。シュラウド２内に収納して設置された記録ディスク１は、記録/再生時にモーター７により高速に回転される。
【００２０】
また、記録ディスク１は、筐体５のベース５ａで構成される底壁までの間隔と、蓋５ｂで構成される上壁までの間隔とが異なるように配置されている。本実施例では、ベース５ａに対面する記録ディスク１とベース５ａとの間隔が蓋５ｂに対面する記録ディスク１と蓋５ｂとの間隔より狭くなっている。
【００２１】
シュラウド２は筐体５（具体的には、ベース５ａ）の内側面で構成され、溝８を有している。なお、シュラウド２を筐体５と別体の部材で構成してベース５ａの側面に嵌め込むようにしてもよい。このシュラウド２は全周に対して一部分が欠損しており、この欠損部２ａを通してキャリッジアーム３の先端部がシュラウド２内に出入りするようになっている。
【００２２】
キャリッジアーム３はその先端部にヘッドを備え、このヘッドを記録ディスク１の径方向に移動するように回動可能に支持されている。ヘッドサスペンション４はキャリッジアーム３を駆動するためのものである。
【００２３】
次に、シュラウド２に設けられた溝８の詳細について図２及び図３を参照しながら説明する。
【００２４】
記録ディスク１の記録面１ａと外周面１ｂとで形成された角部１ｃを半径方向に延長した位置のシュラウド面には、記録ディスク１に沿ってほぼ平行に延びるように溝８が備えられている。この角部１ｃは筐体５の底壁に対面した記録ディスク１における反筐体側の面１ａと外周面１ｂとで形成されている。
【００２５】
そして、溝８は、シュラウド２の表面に略全周に亘って形成されると共に、記録ディスク１に対して上下に非対称に形成されている。溝８の形状は縦断面で四角形であり、その下端８ａは記録ディスク１の外周面１ｂの中央部に対応するように位置され、上端８ｂは記録ディスク１の間に対応するように位置されている。換言すれば、溝８は、記録ディスク１の外周面１ｂと記録ディスク１間の空間とに跨って対応するように位置され、記録ディスク１の反対側の空間には対応しないように位置されている。さらには、図２Ｃ及び図３に示すように、シュラウドの欠損位置における溝８の端部を周方向で閉塞するように溝閉塞部１０が形成されている。この溝閉塞部１０はベース５ａと一体に形成されており、ベース５ａのシュラウド面に溝８を切削する場合に溝閉塞部１０を残すようにして設けられている。
【００２６】
本実施例では、筐体５の底壁と記録ディスク１との間隔が上壁と記録ディスク１との間隔より狭くなっており、その狭い間隔で対面する記録ディスク１の反筐体側の面１ａと外周面１ｂとで形成された角部１ｃを半径方向に延長した位置のシュラウド面に溝８が１つのみ備えられている。
【００２７】
上述した溝８の効果に関して流れ解析により調べた結果を図４から図８を参照しながら説明する。
【００２８】
図４は磁気ディスク装置のシュラウド内の流れ解析をするために用いた流路の概略形状を示す。磁気ディスク装置の流体部分のみをモデル化した形状となっている。流路形状は、略円筒形であり、キャリッジアームがディスク間に出入りする領域を模擬するため、ダミー領域９を付加してある。この流路の中で、直径８４ｍｍの記録ディスク１及びハブ６が１００００ｍｉｎ−１で回転している。
【００２９】
図５Ａは図４の流路における溝を有しない比較例１の場合の解析結果をもとに作成した上下方向の流速のコンター図、図５Ｂは図４の流路における溝を有する本実施例の場合の解析結果をもとに作成した上下方向の流速のコンター図である。評価した位置は図４のＡで示した記録ディスク１とシュラウド２との間隙部である。図５の横軸は時刻、縦軸は上下方向の位置である。コンター図に重ねて、蓋５ｂ、ベース５ａの底板、その間の３枚の記録ディスク１の位置関係も示してある。蓋５ｂと上段ディスク１との間の距離に対し、下段ディスク１とベース５ａとの間の距離が狭い場合で評価した。流体が静止した状態から計算を開始し、８０ｍｓ分の解析結果である。比較例１の図５Ａでは、±２．５ｍ／ｓの所に印をつけ示すように、起動後６０ｍｓを過ぎた頃から周期的なフローパタンが生じていることが分かる。特に中央ディスクとシュラウドの間隙部では、下→上、上→下と、交互に流れる蛇行流が観測されており、この蛇行流にあわせて生ずる圧力変動がディスクフラッタの一要因となっている。一方、本実施例の図５Ｂにおいては、蛇行流が殆ど発生していないことが分かる。
【００３０】
図６は図４の間隙部Ａ近傍における上段、中央および下段の記録ディスクの表面と裏面との静圧差のタイムチャートである。破線はシュラウド２に溝８を設けない比較例１の場合を示し、実線は溝８を設けた本実施例の場合を示している。この結果に示すように、溝８の効果により、上段、中央、下段の各記録ディスクにおいて圧力変動の振幅が顕著に減少しており、ディスクフラッタ低減に効果があることが分かる。
【００３１】
図７Ａは記録ディスク１の外周面に対応するシュラウドに上下に対称に溝８を形成した比較例２である磁気ディスク装置２０の縦断面図、図７Ｂは図７Ａの要部拡大図である。この比較例２では、下段ディスク１の位置に対応したシュラウド２に溝８が略全周に形成されている。本実施例との違いは、拡大図に示すように、記録ディスク１と溝８との位置関係にある。この比較例２では、記録ディスク１の上下中心と溝８の上下中心とが同一の平面にあり、記録ディスク１に対して対称な位置関係となっている。
【００３２】
図８は図７の上段、中央および下段記録ディスクの表面と裏面との静圧差のタイムチャートである。図７における解析条件や評価位置は図５と同一である。図７を見ると、上段、中央、下段の記録ディスク全域において、静圧差振幅の低減効果は得られておらず、本実施例の非対称溝の効果が大きいことが分かる。
【００３３】
次に、本発明の第２実施例について図９および図１０を用いて説明する。この第２実施例は、次に述べる点で第１実施例と相違するものであり、その他の点については第１実施例と基本的には同一である。
【００３４】
図９は本発明の第２実施例に係る磁気ディスク装置の縦断面図である。第２実施例においては、溝８を２本とし、上段ディスク１の下面にかかる非対称な溝８を付加した点に特徴がある。
【００３５】
図１０は第２実施例における流れ解析結果である。解析条件および評価位置は第１実施例と同一であり、図６と同様に、間隙部Ａ近傍における上段、中央、下段の記録ディスク１のそれぞれのディスク表面、裏面の静圧差を示したものである。横軸は時刻、縦軸は静圧差である。破線はシュラウド２に溝８を設けない場合、実線は溝８を２つ設けた場合を示している。この図９の解析結果から明らかなように、溝８の効果により、上段、中央、下段の各記録ディスクにおいて圧力変動の振幅が顕著に減少しており、第１実施例に近いディスクフラッタ低減効果があることが分かる。
【００３６】
次に、本発明の第３実施例について図１１および図１２を用いて説明する。この第３実施例は、次に述べる点で第１実施例と相違するものであり、その他の点については第１実施例と基本的には同一である。
【００３７】
図１１は本発明の第３実施例に係る磁気ディスク装置の縦断面図である。第３実施例においては、溝８を３本とし、各ディスク１の上面にかかる非対称な溝８を構成した点に特徴がある。
【００３８】
図１２は第３の実施例における流れ解析結果である。解析条件および評価位置は第１実施例と同一であり、図６と同様に、間隙部Ａ近傍における上段、中央、下段の記録ディスク１のそれぞれのディスク表面、裏面の静圧差を示したものである。横軸は時刻、縦軸は静圧差である。破線はシュラウド２に溝８を設けない場合、実線は溝８を３つ設けた場合を示している。この図１１の解析結果から明らかなように、溝８の効果により、上段、中央、下段の各記録ディスクにおいて圧力変動の振幅が減少しており、ディスクフラッタ低減に効果があることが分かる。但し、第１、第２実施例に比較して、第３実施例では周期的な変動が残っており、低減の効果は小さい。
【００３９】
次に、本発明の第４および第５実施例について図１３および図１４を用いて説明する。この第４および第５実施例は、次に述べる点で第１実施例と相違するものであり、その他の点については第１実施例と基本的には同一である。
【００４０】
図１３および図１４は記録ディスク１の枚数が異なる場合の溝８の設置例を示したものである。図１３に示す第４実施例は、記録ディスク１が５枚の場合であり、最下段のディスク１の上面に対応する位置に溝８を構成した例を示している。図１４に示す第５実施例は、記録ディスクが１枚の場合であり、溝８は記録ディスク１上面側に設けたものである。このように非対称な溝８を設けることにより、記録ディスク１の枚数が変化した場合でも第１実施例と同様な効果が得られる。
【００４１】
次に、本発明の第６から第８実施例について図１５から図１７を用いて説明する。この第６から第８実施例は、次に述べる点で第１実施例と相違するものであり、その他の点については第１実施例と基本的には同一である。
【００４２】
この第６から第８実施例は溝８の断面形状を変化させた場合の実施例である。図１５は半円径に近い形状の場合、図１６は２等辺三角形形状の場合、図１７は辺の長さが異なる３角形形状の場合である。何れの場合も、記録ディスクに対し非対称な位置に溝８を設けることで、ディスクフラッタを低減することが可能である。
【００４３】
以上の各実施例に示すように、非対称な溝８はディスクフラッタの低減に効果があること、各ディスクに対し溝を設けるより、最下部、最上部もしくは最上部と最下部のディスクに対して溝を設けた方がディスクフラッタ低減に効果があること、更に溝端部１０は開放よりも閉塞させた方が効果が高いと言える。
【図面の簡単な説明】
【００４４】
【図１】本発明の第１実施例に係る磁気ディスク装置の斜視図である。
【図２Ａ】図１の磁気ディスク装置の縦断面図である。
【図２Ｂ】図２Ａにおける要部拡大図である。
【図２Ｃ】図２Ａにおけるシュラウド欠損部近傍の要部拡大図である。
【図３】図１における筐体の一部を示す斜視図である。
【図４】磁気ディスク装置のシュラウド部の流れ解析をするために用いた流路の概略形状である。
【図５Ａ】図４の流路における溝を有しない場合の解析結果をもとに作成した上下方向の流速のコンター図である。
【図５Ｂ】図３の流路における溝を有する場合の解析結果をもとに作成した上下方向の流速のコンター図である。
【図６】図４の間隙部Ａ近傍における上段、中央および下段の記録ディスクの表面と裏面との静圧差のタイムチャートである。
【図７Ａ】記録ディスクの外周面に対応するシュラウドに上下に対称に溝を形成した比較例２に係る磁気ディスク装置の縦断面図である。
【図７Ｂ】図７Ａの要部拡大図である。
【図８】図７Ａの比較例２に係る磁気ディスク装置の上段、中央および下段の記録ディスクの表面と裏面との静圧差のタイムチャートである。
【図９】本発明の第２実施例に係る磁気ディスク装置の縦断面図である。
【図１０】図９の磁気ディスク装置の上段、中央および下段の記録ディスクの表面と裏面との静圧差のタイムチャートである。
【図１１】本発明の第３実施例に係る磁気ディスク装置の縦断面図である。
【図１２】図１１の磁気ディスク装置の上段、中央および下段の記録ディスクの表面と裏面との静圧差のタイムチャートである。
【図１３Ａ】本発明の第４実施例に係る磁気ディスク装置の縦断面図である。
【図１３Ｂ】図１３Ａの要部拡大図である。
【図１４Ａ】本発明の第５実施例に係る磁気ディスク装置の縦断面図である。
【図１４Ｂ】図１４Ａの要部拡大図である。
【図１５】本発明の第６実施例に係る磁気ディスク装置の半円形状の溝を示す図である。
【図１６】本発明の第７実施例に係る磁気ディスク装置の２等辺三角形状の溝を示す図である。
【図１７】本発明の第８の実施例に係る磁気ディスク装置の２辺の長さが異なる３角形形状の溝を示す図である。
【符号の説明】
【００４５】
１…記録ディスク、１ａ…記録面（上面または下面）、１ｂ…外周面、１ｃ…角部、２…シュラウド、２ａ…欠損部、３…キャリッジアーム、４…ヘッドサスペンション、５…筐体、５ａ…ベース、５ｂ…蓋、６…ハブ、７…モーター、８…溝、９…ダミー領域、１０…溝閉塞部、２０…磁気ディスク装置。
【図１】
2006079746.tif 000003
【図２Ａ】
2006079746.tif 000004
【図２Ｂ】
2006079746.tif 000005
【図２Ｃ】
2006079746.tif 000006
【図３】
2006079746.tif 000007
【図４】
2006079746.tif 000008
【図５Ａ】
2006079746.tif 000009
【図５Ｂ】
2006079746.tif 000010
【図６】
2006079746.tif 000011
【図７Ａ】
2006079746.tif 000012
【図７Ｂ】
2006079746.tif 000013
【図８】
2006079746.tif 000014
【図９】
2006079746.tif 000015
【図１０】
2006079746.tif 000016
【図１１】
2006079746.tif 000017
【図１２】
2006079746.tif 000018
【図１３Ａ】
2006079746.tif 000019
【図１３Ｂ】
2006079746.tif 000020
【図１４Ａ】
2006079746.tif 000021
【図１４Ｂ】
2006079746.tif 000022
【図１５】
2006079746.tif 000023
【図１６】
2006079746.tif 000024
【図１７】
2006079746.tif 000025